(57)【要約】      （修正有）【課題】効率的に下りリンクの伝送を行うことができる端末装置、基地局装置、および通信方法を提供する。【解決手段】端末装置は、第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨのデコードを試み、第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨのデコードを試みる。第１のＰＤＣＣＨは、第１のサービングセルにおける第１のサーチスペースにマップされ、第２のＰＤＣＣＨは、第１のサービングセルにおける第２のサーチスペースにマップされる。【選択図】図４
2019087770.tif 000002
【特許請求の範囲】
【請求項１】
第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨを受信し、
第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨを受信する受信部を備え、
前記第１のＰＤＣＣＨは前記第１のサービングセルにおける第１のサーチスペースにマップされ、
前記第２のＰＤＣＣＨは前記第１のサービングセルにおける第２のサーチスペースにマップされる端末装置。
【請求項２】
前記第１のサーチスペースは前記第１のＰＤＣＣＨのデコードを試みる第１のＰＤＣＣＨ候補のセットであり、
前記第２のサーチスペースは前記第２のＰＤＣＣＨのデコードを試みる第２のＰＤＣＣＨ候補のセットである請求項１に記載の端末装置。
【請求項３】
前記第１のサーチスペースの前記第１のＰＤＣＣＨ候補に対応するＣＣＥはＣＩＦの第１の値に少なくとも基づいて与えられ、
前記第２のサーチスペースの前記第２のＰＤＣＣＨ候補に対応するＣＣＥは前記ＣＩＦの第２の値に少なくとも基づいて与えられ、
前記第１の下りリンク制御情報は前記第１の値にセットされた前記ＣＩＦを含み、
前記第２の下りリンク制御情報は前記第２の値にセットされた前記ＣＩＦを含む請求項２に記載の端末装置。
【請求項４】
下りリンクＢＷＰの第１のセットに属する何れかの下りリンクＢＷＰに対応する値にセットされる下りリンクＢＩＦを含む第１のＰＤＣＣＨを受信し、
下りリンクＢＷＰの第２のセットに属する何れかの下りリンクＢＷＰに対応する値にセットされる下りリンクＢＩＦを含む第２のＰＤＣＣＨを受信する受信部を備え、
前記第１のＰＤＣＣＨは第１のサービングセルに含まれる第１のサーチスペースにマップされ、
前記第２のＰＤＣＣＨは前記第１のサービングセルに含まれる第２のサーチスペースにマップされる端末装置。
【請求項５】
前記第１のＰＤＣＣＨに含まれるＣＩＦ（carrier indicator field）は第１の値にセ
ットされ、
前記第２のＰＤＣＣＨに含まれる前記ＣＩＦは第２の値にセットされる請求項４に記載の端末装置。
【請求項６】
前記受信部は、
前記第１のＰＤＣＣＨを検出した場合は、前記第１のＰＤＣＣＨに含まれる前記下りリンクＢＩＦにセットされる前記値に対応する下りリンクＢＷＰにおける第１のＰＤＳＣＨを受信し、
前記第２のＰＤＣＣＨを検出した場合は、前記第２のＰＤＣＣＨに含まれる前記下りリンクＢＩＦにセットされる前記値に対応する下りリンクＢＷＰにおける第２のＰＤＳＣＨを受信し、  
前記第１のＰＤＳＣＨのために割り当てられる帯域は、前記第１のＰＤＣＣＨに含まれるＲＡＦ(ResourceAllocation Field)に少なくとも基づいて与えられ、
前記第２のＰＤＳＣＨのために割り当てられる帯域は、前記第２のＰＤＣＣＨに含まれるＲＡＦ(ResourceAllocation Field)に少なくとも基づいて与えられる請求項４に記載の端末装置。
【請求項７】
第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨを送信し、
第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨを送信する送信部を備え、
前記第１のＰＤＣＣＨは前記第１のサービングセルにおける第１のサーチスペースにマップされ、
前記第２のＰＤＣＣＨは前記第１のサービングセルにおける第２のサーチスペースにマップされる基地局装置。
【請求項８】
前記第１のサーチスペースは前記第１のＰＤＣＣＨのデコードを試みる第１のＰＤＣＣＨ候補のセットであり、
前記第２のサーチスペースは前記第２のＰＤＣＣＨのデコードを試みる第２のＰＤＣＣＨ候補のセットである請求項７に記載の基地局装置。
【請求項９】
前記第１のサーチスペースの前記第１のＰＤＣＣＨ候補に対応するＣＣＥはＣＩＦの第１の値に少なくとも基づいて与えられ、
前記第２のサーチスペースの前記第２のＰＤＣＣＨ候補に対応するＣＣＥは前記ＣＩＦの第２の値に少なくとも基づいて与えられ、
前記第１の下りリンク制御情報は前記第１の値にセットされた前記ＣＩＦを含み、
前記第２の下りリンク制御情報は前記第２の値にセットされた前記ＣＩＦを含む請求項８に記載の基地局装置。
【請求項１０】
下りリンクＢＷＰの第１のセットに属する何れかの下りリンクＢＷＰに対応する値にセットされる下りリンクＢＩＦを含む第１のＰＤＣＣＨを送信し、
下りリンクＢＷＰの第２のセットに属する何れかの下りリンクＢＷＰに対応する値にセットされる下りリンクＢＩＦを含む第２のＰＤＣＣＨを送信する送信部を備え、
前記第１のＰＤＣＣＨは第１のサービングセルに含まれる第１のサーチスペースにマップされ、
前記第２のＰＤＣＣＨは前記第１のサービングセルに含まれる第２のサーチスペースにマップされる基地局装置。
【請求項１１】
前記第１のＰＤＣＣＨに含まれるＣＩＦ（carrier indicator field）は第１の値にセットされ、
前記第２のＰＤＣＣＨに含まれる前記ＣＩＦは第２の値にセットされる請求項１０に記載の基地局装置。
【請求項１２】
前記送信部は、
前記第１のＰＤＣＣＨを検出した場合は、前記第１のＰＤＣＣＨに含まれる前記下りリンクＢＩＦにセットされる前記値に対応する下りリンクＢＷＰにおける第１のＰＤＳＣＨを送信し、
前記第２のＰＤＣＣＨを検出した場合は、前記第２のＰＤＣＣＨに含まれる前記下りリンクＢＩＦにセットされる前記値に対応する下りリンクＢＷＰにおける第２のＰＤＳＣＨを送信し、  
前記第１のＰＤＳＣＨのために割り当てられる帯域は、前記第１のＰＤＣＣＨに含まれるＲＡＦ(ResourceAllocation Field)に少なくとも基づいて与えられ、
前記第２のＰＤＳＣＨのために割り当てられる帯域は、前記第２のＰＤＣＣＨに含まれるＲＡＦ(ResourceAllocation Field)に少なくとも基づいて与えられる請求項１０に記
載の基地局装置。
【請求項１３】
端末装置に用いられる通信方法であって、
第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨのデコードを試み、
第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨのデコードを試み、
前記第１のＰＤＣＣＨは前記第１のサービングセルにおける第１のサーチスペースにマップされ、
前記第２のＰＤＣＣＨは前記第１のサービングセルにおける第２のサーチスペースにマップされる通信方法。
【請求項１４】
端末装置に用いられる通信方法であって、
下りリンクＢＷＰの第１のセットに属する何れかの下りリンクＢＷＰに対応する値にセットされる下りリンクＢＩＦを含む第１のＰＤＣＣＨのデコードを試み、
下りリンクＢＷＰの第２のセットに属する何れかの下りリンクＢＷＰに対応する値にセットされる下りリンクＢＩＦを含む第２のＰＤＣＣＨのデコードを試み、
前記第１のＰＤＣＣＨは第１のサービングセルに含まれる第１のサーチスペースにマップされ、
前記第２のＰＤＣＣＨは前記第１のサービングセルに含まれる第２のサーチスペースにマップされる通信方法。
【請求項１５】
基地局装置に用いられる通信方法であって、
第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨのデコードを試み、
第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨのデコードを試み、
前記第１のＰＤＣＣＨは前記第１のサービングセルにおける第１のサーチスペースにマップされ、
前記第２のＰＤＣＣＨは前記第１のサービングセルにおける第２のサーチスペースにマップされる通信方法。
【請求項１６】
基地局装置に用いられる通信方法であって、
下りリンクＢＷＰの第１のセットに属する何れかの下りリンクＢＷＰに対応する値にセットされる下りリンクＢＩＦを含む第１のＰＤＣＣＨのデコードを試み、
下りリンクＢＷＰの第２のセットに属する何れかの下りリンクＢＷＰに対応する値にセットされる下りリンクＢＩＦを含む第２のＰＤＣＣＨのデコードを試み、
前記第１のＰＤＣＣＨは第１のサービングセルに含まれる第１のサーチスペースにマップされ、
前記第２のＰＤＣＣＨは前記第１のサービングセルに含まれる第２のサーチスペースにマップされる通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE：登録商標）」、または、「Evolved UniversalTerrestrial Radio Access : EUTRA」と称する。）が、第三世代パートナーシッププロジェクト（3rd Generation Partnership Project: 3GPP）において検討されている。また、３ＧＰＰにおいて、新たな無線アクセス方式（以下、「New Radio（NR）」と称する。）が検討されている（非特許文献１、２、３、４）。ＬＴＥでは、基地局装置をｅＮｏｄｅＢ（evolved NodeB）とも称する。ＮＲでは、基地局装置をｇＮｏｄｅＢとも称する。ＬＴＥ、および、ＮＲでは、端末装置をＵＥ（User Equipment）とも称する。ＬＴＥ、および、ＮＲは、基地局装置がカバーするエリアをセル状に複数配置するセルラー通信システムである。単一の基地局装置は複数のセルを管理してもよい。
【０００３】
ＮＲにおいて、１つのサービングセルに対して下りリンクＢＷＰ（bandwidth part）と上りリンクＢＷＰのセットが設定される（非特許文献３）。端末装置は、下りリンクＢＷＰにおいてＰＤＣＣＨとＰＤＳＣＨを受信する。
【先行技術文献】
【非特許文献】
【０００４】
【非特許文献１】"3GPP TS 38.211 V1.0.0 (2017-09), NR;Physical channels and modulation", 7th September, 2017.
【非特許文献２】"3GPP TS 38.212 V1.0.0 (2017-09), NR;Multiplexing and channel coding", 7th September, 2017.
【非特許文献３】"3GPP TS 38.213 V1.0.1 (2017-09), NR;Physical layer procedures for control", 7th September, 2017.
【非特許文献４】"3GPP TS 38.214 V1.0.1 (2017-09), NR;Physical layer procedures for data", 7th September, 2017.
【発明の概要】
【発明が解決しようとする課題】
【０００５】
本発明は、効率的に下りリンク送信の受信を行うことができる端末装置、該端末装置に用いられる通信方法、効率的に下りリンク送信を行うことができる基地局装置、および、該基地局装置に用いられる通信方法を提供する。
【課題を解決するための手段】
【０００６】
（１）本発明の態様は、以下のような手段を講じた。すなわち、本発明の第１の態様は、端末装置であって、  第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨを受信し、第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨを受信する受信部を備え、前記第１のＰＤＣＣＨは前記第１のサービングセルにおける第１のサーチスペースにマップされ、前記第２のＰＤＣＣＨは前記第１のサービングセルにおける第２のサーチスペースにマップされる。
【０００７】
（２）本発明の第２の態様は、基地局装置であって、第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨを送信し、第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨを送信する送信部を備え、前記第１のＰＤＣＣＨは前記第１のサービングセルにおける第１のサーチスペースにマップされ、前記第２のＰＤＣＣＨは前記第１のサービングセルにおける第２のサーチスペースにマップされる。
【０００８】
（３）本発明の第３の態様は、端末装置であって、下りリンクＢＷＰの第１のセットに属する何れかの下りリンクＢＷＰに対応する値にセットされる下りリンクＢＩＦを含む第１のＰＤＣＣＨを受信し、下りリンクＢＷＰの第２のセットに属する何れかの下りリンクＢＷＰに対応する値にセットされる下りリンクＢＩＦを含む第２のＰＤＣＣＨを受信する受信部を備え、前記第１のＰＤＣＣＨは第１のサービングセルに含まれる第１のサーチスペースにマップされ、前記第２のＰＤＣＣＨは前記第１のサービングセルに含まれる第２のサーチスペースにマップされる。
【０００９】
（４）本発明の第４の態様は、基地局装置であって、下りリンクＢＷＰの第１のセットに属する何れかの下りリンクＢＷＰに対応する値にセットされる下りリンクＢＩＦを含む第１のＰＤＣＣＨを送信し、下りリンクＢＷＰの第２のセットに属する何れかの下りリンクＢＷＰに対応する値にセットされる下りリンクＢＩＦを含む第２のＰＤＣＣＨを送信する送信部を備え、前記第１のＰＤＣＣＨは第１のサービングセルに含まれる第１のサーチスペースにマップされ、前記第２のＰＤＣＣＨは前記第１のサービングセルに含まれる第２のサーチスペースにマップされる。
【００１０】
（５）本発明の第５の態様は、端末装置に用いられる通信方法であって、第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨのデコードを試み、第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨのデコードを試み、前記第１のＰＤＣＣＨは前記第１のサービングセルにおける第１のサーチスペースにマップされ、前記第２のＰＤＣＣＨは前記第１のサービングセルにおける第２のサーチスペースにマップされる。
【００１１】
（６）本発明の第６の態様は、基地局装置に用いられる通信方法であって、第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨのデコードを試み、第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨのデコードを試み、前記第１のＰＤＣＣＨは前記第１のサービングセルにおける第１のサーチスペースにマップされ、前記第２のＰＤＣＣＨは前記第１のサービングセルにおける第２のサーチスペースにマップされる。
【００１２】
（７）本発明の第７の態様は、端末装置に用いられる通信方法であって、下りリンクＢＷＰの第１のセットに属する何れかの下りリンクＢＷＰに対応する値にセットされる下りリンクＢＩＦを含む第１のＰＤＣＣＨのデコードを試み、下りリンクＢＷＰの第２のセットに属する何れかの下りリンクＢＷＰに対応する値にセットされる下りリンクＢＩＦを含む第２のＰＤＣＣＨのデコードを試み、前記第１のＰＤＣＣＨは第１のサービングセルに含まれる第１のサーチスペースにマップされ、前記第２のＰＤＣＣＨは前記第１のサービングセルに含まれる第２のサーチスペースにマップされる。
【００１３】
（８）本発明の第８の態様は、基地局装置に用いられる通信方法であって、下りリンクＢＷＰの第１のセットに属する何れかの下りリンクＢＷＰに対応する値にセットされる下りリンクＢＩＦを含む第１のＰＤＣＣＨのデコードを試み、下りリンクＢＷＰの第２のセットに属する何れかの下りリンクＢＷＰに対応する値にセットされる下りリンクＢＩＦを含む第２のＰＤＣＣＨのデコードを試み、前記第１のＰＤＣＣＨは第１のサービングセルに含まれる第１のサーチスペースにマップされ、前記第２のＰＤＣＣＨは前記第１のサービングセルに含まれる第２のサーチスペースにマップされる。
【発明の効果】
【００１４】
この発明によれば、端末装置は効率的に下りリンク送信の受信を行うことができる。また、基地局装置は効率的に下りリンク送信を行うことができる。
【図面の簡単な説明】
【００１５】
【図１】本実施形態の無線通信システムの概念図である。
【図２】本実施形態の無線フレームの概略構成を示す図である。
【図３】本実施形態における下りリンクスロットの概略構成を示す図である。
【図４】本実施形態の端末装置１の構成を示す概略ブロック図である。
【図５】本実施形態の基地局装置３の構成を示す概略ブロック図である。
【図６】サービングセルと下りリンクＢＷＰの設定に関するシーケンスチャートを示す図である。
【図７】セカンダリセルの活性化の一例を示す図である。
【図８】本実施形態におけるプライマリセルおよびセカンダリセルの下りリンクＢＷＰの一例を示す図である。
【図９】本実施形態におけるサービングセル間のＰＤＳＣＨスケジューリングの一例を示す図である。
【図１０】本実施形態におけるＣＩＦの値、下りリンクＢＩＦの値、サービングセル、および、下りリンクＢＷＰの対応に関する表を示す図である。
【図１１】本実施形態におけるＣＯＲＥＳＥＴの一例を示す図である。
【図１２】本実施形態におけるサーチスペースの一例を示す図である。
【図１３】本実施形態における１つのサービングセルの１つのスロットｋにおける１つのＣＯＲＥＳＥＴ  ｐにおけるＵＳＳの一例を示す図である。
【発明を実施するための形態】
【００１６】
以下、本発明の実施形態について説明する。
【００１７】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１８】
本実施形態の物理チャネルおよび物理信号について説明する。
【００１９】
端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２０】
ＰＵＣＣＨは、下りリンクのＣＳＩ（Channel State Information）、および／または
、ＨＡＲＱ−ＡＣＫ（Hybrid Automatic Repeat reQuest）を送信するために用いられる
。ＣＳＩ、および、ＨＡＲＱ−ＡＣＫは、上りリンク制御情報（Uplink ControlInformation: UCI）である。
【００２１】
ＰＵＳＣＨは、上りリンクデータ（Transport block, Uplink-SharedChannel: UL-SCH）、下りリンクのＣＳＩ、および／または、ＨＡＲＱ−ＡＣＫを送信するために用いられる。ＣＳＩ、および、ＨＡＲＱ−ＡＣＫは、上りリンク制御情報（Uplink Control Information: UCI）である。端末装置１は、上りリンクグラント（uplink grant）を含むＰＤＣＣＨ（Physical DownlinkControl Channel）の検出に基づいてＰＵＳＣＨを送信してもよい。
【００２２】
ＰＲＡＣＨは、ランダムアクセスプリアンブルを送信するために用いられる。
【００２３】
上りリンクの無線通信では、以下の上りリンク物理シグナルが用いられる。上りリンク物理シグナルは、上位層から出力された情報を送信するために使用されないが、物理層によって使用される。
・ＤＭＲＳ（Demodulation Reference Signal）
【００２４】
ＤＭＲＳは、ＰＵＣＣＨまたはＰＵＳＣＨの送信に関連する。ＤＭＲＳは、ＰＵＳＣＨと時間多重されてもよい。基地局装置３は、ＰＵＳＣＨの伝搬路補正を行なうためにＤＭＲＳを使用してもよい。
【００２５】
基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
・ＰＤＳＣＨ（Physical Downlink Control Channel）
【００２６】
ＰＤＣＣＨは、下りリンク制御情報（Downlink Control Information: DCI）を送信するために用いられる。下りリンク制御情報を、ＤＣＩフォーマットとも称する。下りリンク制御情報は、上りリンクグラント（uplink grant）を含む。上りリンクグラントは、単一のセル内の単一のＰＵＳＣＨのスケジューリングに用いられてもよい。上りリンクグラントは、単一のセル内の複数のスロットにおける複数のＰＵＳＣＨのスケジューリングに用いられてもよい。上りリンクグラントは、単一のセル内の複数のスロットにおける単一のＰＵＳＣＨのスケジューリングに用いられてもよい。
【００２７】
ＰＤＳＣＨは、下りリンクデータ（Transport block, Downlink-SharedChannel: DL-SCH）を送信するために用いられる。
【００２８】
ＵＬ−ＳＣＨおよびＤＬ−ＳＣＨは、トランスポートチャネルである。媒体アクセス制御（Medium AccessControl: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol DataUnit）とも称する。
【００２９】
以下、キャリアアグリゲーションについて説明する。
【００３０】
本実施形態では、端末装置１は、１つまたは複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。複数のサービングセルは、少なくとも１つのプライマリセルを含む。複数のサービングセルは、１つ、または、複数のセカンダリセルを含んでもよい。
【００３１】
本実施形態の無線通信システムは、ＴＤＤ（Time Division Duplex）および／またはＦＤＤ（Frequency Division Duplex）が適用されてもよい。セルアグリゲーションの場合
には、ＴＤＤが適用されるサービングセルとＦＤＤが適用されるサービングセルが集約されてもよい。
【００３２】
設定された複数のサービングセルは、１つのプライマリセルと、１つまたは複数のセカンダリセルと、を含む。プライマリセルは、初期コネクション確立（initial connection
establishment）手順が行なわれたサービングセル、コネクション再確立（connectionre-establishment）手順を開始したサービングセル、または、ハンドオーバ手順において
プライマリセルと指示されたセルである。ＲＲＣ（Radio Resource Control）コネクションが確立された時点、または、後に、セカンダリセルが設定されてもよい。
【００３３】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００３４】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００３５】
サービングセルのそれぞれに対して下りリンクＢＷＰ（bandwidth part）のセットが設定されてもよい。下りリンクＢＷＰのセットは１つまたは複数の下りリンクＢＷＰを含んでもよい。サービングセルに対する下りリンクＢＷＰのセットに含まれる下りリンクＢＷＰを、サービングセルにおける下りリンクＢＷＰ、または、サービングセルに含まれる下りリンクＢＷＰとも称する。１つの物理チャネルは、複数の下りリンクＢＷＰのうち１つの下りリンクＢＷＰにおいて送信される。１つの下りリンクＢＷＰは、周波数領域において連続する複数の物理リソースブロックから構成されてもよい。
【００３６】
以下、本実施形態の無線フレーム（radio frame）の構成について説明する。
【００３７】
図２は、本実施形態の無線フレームの概略構成を示す図である。図２において、横軸は時間軸である。無線フレームのそれぞれは、１０ｍｓ長であってもよい。また、無線フレームのそれぞれは１０のスロットから構成されてもよい。スロットのそれぞれは、１ｍｓ長であってもよい。
【００３８】
以下、本実施形態のスロットの構成の一例について説明する。図３は、本実施形態における下りリンクスロットの概略構成を示す図である。図３において、１つのセルにおける下りリンクスロットの構成を示す。図３において、横軸は時間軸であり、縦軸は周波数軸である。下りリンクスロットはＮＤＬｓｙｍｂ個のＯＦＤＭシンボルを含んでもよい。以下、本実施形態では、下りリンクスロットがＯＦＤＭシンボルを含む場合を用いて説明をする。
【００３９】
図３において、ｌはＯＦＤＭシンボル番号／インデックスであり、ｋはサブキャリア番号／インデックスである。スロットのそれぞれにおいて送信される物理シグナルまたは物
理チャネルは、リソースグリッドによって表現される。下りリンクにおいて、リソースグリッドは複数のサブキャリアと複数のＯＦＤＭシンボルによって定義される。リソースグリッド内のエレメントのそれぞれをリソースエレメントと称する。リソースエレメントは、サブキャリア番号／インデックスｋ、および、ＯＦＤＭシンボル番号／インデックスｌによって表される。
【００４０】
下りリンクスロットは、時間領域において、複数ＯＦＤＭシンボルｌ（ｌ＝０，１，．．．，ＮＤＬｓｙｍｂ）を含む。下りリンクにおけるノーマルＣＰ（normal Cyclic Prefix）に対して、ＮＤＬｓｙｍｂは７または１４であってもよい。下りリンクにおける拡張ＣＰ（extended CP）に対して、ＮＤＬｓｙｍｂは６または１２であってもよい。
【００４１】
端末装置１は、下りリンクにおけるＣＰ長を示す上位層のパラメータDL-CyclicPrefixLengthを基地局装置３から受信する。基地局装置３は、セルに対応する該上位層のパラメ
ータDL-CyclicPrefixLengthを含むシステムインフォメーションを、該セルにおいて報知
してもよい。
【００４２】
下りリンクスロットは、周波数領域において、複数のサブキャリアｋ（ｋ＝０，１，．．．，ＮＤＬＲＢ・ＮＲＢＳＣ)を含む。ＮＤＬＲＢは、ＮＲＢＳＣの倍数によって表現される、サービングセルに対する下りリンク帯域幅設定である。ＮＲＢＳＣは、サブキャリアの数によって表現される、周波数領域における（物理）リソースブロックサイズである。サブキャリア間隔Δfは１５ｋＨｚであってもよい。ＮＲＢＳＣは１２であってもよい。周波数領域における（物理）リソースブロックサイズは１８０ｋＨｚであってもよい。
【００４３】
１つの物理リソースブロックは、時間領域においてNDLsymbの連続するＯＦＤＭシンボルと周波数領域においてＮＲＢＳＣの連続するサブキャリアとから定義される。ゆえに、１つの物理リソースブロックは（ＮＤＬｓｙｍｂ・ＮＲＢＳＣ）のリソースエレメントから構成される。１つの物理リソースブロックは、時間領域において１つのスロットに対応してもよい。物理リソースブロックは周波数領域において、周波数の低いほうから順に番号ｎＰＲＢ（0,1,…, NULRB -1）が付けられてもよい。
【００４４】
本実施形態における上りリンクのスロットは、複数のＯＦＤＭシンボル、および／または、ＳＣ−ＦＤＭＡシンボルを含む。本実施形態における上りリンクのスロットの構成は下りリンクと基本的に同じであるため、上りリンクのスロットの構成の説明は省略する。
【００４５】
以下、本実施形態における装置の構成について説明する。
【００４６】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、および、無線リソース制御層処理部１６を含んで構成される。無線送受信部１０を送信部、受信部、符号化部、復号部、または、物理層処理部とも称する。
【００４７】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（PacketData Convergence Protocol: PDCP）層、無線リンク制御（Radio LinkControl: RLC）層、無線リソース制御（Radio Resource Control: RRC）層の処理を行なう。
【００４８】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００４９】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００５０】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００５１】
ＲＦ部１２は、アンテナ部１１を介して受信した信号を、直交復調によりベースバンド信号に変換し（ダウンコンバート:down convert）、不要な周波数成分を除去する。ＲＦ部１２は、処理をしたアナログ信号をベースバンド部に出力する。
【００５２】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【００５３】
ベースバンド部１３は、データを逆高速フーリエ変換（Inverse Fast FourierTransform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００５４】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００５５】
図５は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、符号化部、復号部、または、物理層処理部とも称する。
【００５６】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（RadioResource Control: RRC）層の処理を行なう。
【００５７】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、ランダムアクセス手順の制御を行う。
【００５８】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【００５９】
無線送受信部３０の機能は、無線送受信部１０と同様であるため説明を省略する。
【００６０】
端末装置１が備える符号１０から符号１６が付された部のそれぞれは、回路として構成されてもよい。基地局装置３が備える符号３０から符号３６が付された部のそれぞれは、回路として構成されてもよい。端末装置１が備える符号１０から符号１６が付された部のそれぞれは、少なくとも１つのプロセッサと前記少なくとも１つのプロセッサと連結されるメモリとして構成されてもよい。基地局装置３が備える符号３０から符号３６が付された部のそれぞれは、少なくとも１つのプロセッサと前記少なくとも１つのプロセッサと連結されるメモリとして構成されてもよい。
【００６１】
あるサービングセルにおけるＰＤＳＣＨをスケジューリングするために用いられるＤＣＩフォーマットを、該あるサービングセルに対する下りリンク制御情報とも称する。あるサービングセルにおけるＰＤＳＣＨスケジューリングするために用いられるＤＣＩフォーマットを含むＰＤＣＣＨを、該あるサービングセルに対するＰＤＣＣＨと称する。
【００６２】
あるサービングセルにおける下りリンクＢＷＰにおけるＰＤＳＣＨをスケジューリングするために用いられるＤＣＩフォーマットを、該あるサービングセルにおける該下りリンクＢＷＰに対する下りリンク制御情報、または、該下りリンクＢＷＰに対する下りリンク制御情報とも称する。あるサービングセルにおける下りリンクＢＷＰにおけるＰＤＳＣＨをスケジューリングするために用いられるＤＣＩフォーマットを含むＰＤＣＣＨを、該あるサービングセルにおける該下りリンクＢＷＰに対するＰＤＣＣＨ、または、該下りリンクＢＷＰに対するＰＤＣＣＨと称する。
【００６３】
端末装置１が受信するＰＤＣＣＨにおけるＤＣＩフォーマットに含まれるＣＩＦ（Carrier IndicatorField）は、キャリアインディケータがマップされるフィールドである。
キャリアインディケータの値は、該キャリアインディケータが関連するＤＣＩフォーマットが対応するサービングセルを示す。キャリアインディケータの値をＣＩＦ値とも称する。
【００６４】
プライマリセルに対するＰＤＣＣＨは、プライマリセルにおいて送信される。セカンダリセルに対するＰＤＣＣＨは、プライマリセル、または、該セカンダリセル、または、該セカンダリセルとは異なるセカンダリセルにおいて送信されてもよい。
【００６５】
端末装置１は、あるサービングセルにおけるＣＩＦを含むＰＤＣＣＨの検出に少なくとも基づいて、該デコードされたＰＤＣＣＨに含まれる該ＣＩＦの値によって示されるサービングセルにおけるＰＤＳＣＨをデコードする。
【００６６】
端末装置１が受信するＰＤＣＣＨにおけるＤＣＩフォーマットに含まれる下りリンクＢＩＦ（Bandwidthpart Index Field）は、ＢＩ（Bandwidth part Index）がマップされるフィールドである。ＢＩの値は、該ＢＩが関連するＤＣＩフォーマットが対応する下りリンクＢＷＰを示す。ＢＩの値は、該ＢＩが関連するＤＣＩフォーマットによってＰＤＳＣＨがスケジューリングされるサービングセルに含まれる下りリンクＢＷＰのセットのうち、該ＰＤＳＣＨがスケジューリングされる下りリンクＢＷＰを示す。
【００６７】
端末装置１は、あるサービングセルにおける下りリンクＢＩＦ（Bandwidth part Index Field）を含むＰＤＣＣＨの検出に少なくとも基づいて、該デコードされたＰＤＣＣＨに含まれる該下りリンクＢＩＦの値によって示されるサービングセル内の下りリンクＢＷＰにおけるＰＤＳＣＨをデコードする。
【００６８】
端末装置１は、あるサービングセルにおけるＣＩＦおよび下りリンクＢＩＦを含むＰＤＣＣＨの検出に少なくとも基づいて、該デコードされたＰＤＣＣＨに含まれる、該ＣＩＦの値によって示されるサービングセル、および、該下りリンクＢＩＦの値によって示される該サービングセル内の下りリンクＢＷＰにおけるＰＤＳＣＨをデコードする。
【００６９】
あるサービングセルにおいて他のサービングセルに対するＰＤＣＣＨをモニタするように設定されている端末装置１は、該他のサービングセルにおいてＰＤＣＣＨをモニタしなくてもよい。
【００７０】
あるサービングセルにおいて他のサービングセルに対するＰＤＣＣＨをモニタするように設定されている端末装置１は、該あるサービングセルにおいて、該あるサービングセルに対するＰＤＣＣＨをモニタしてもよい。
【００７１】
あるサービングセルにおいて、該あるサービングセルにおけるある下りリンクＢＷＰに対するＰＤＣＣＨをモニタするように設定されている端末装置１は、該あるサービングセルにおける他の下りリンクＢＷＰにおいてＰＤＣＣＨをモニタしなくてもよい。ある時点において、端末装置１は、あるサービングセルにおける下りリンクＢＷＰのセットのうち、１つの下りリンクＢＷＰにおいてＰＤＣＣＨをモニタしてもよい。ある時点において、端末装置１は、あるサービングセルにおける下りリンクＢＷＰのセットのうち、複数の下りリンクＢＷＰにおいてＰＤＣＣＨをモニタしなくてもよい。
【００７２】
ＣＩＦを含むＰＤＣＣＨをモニタすることは、ＣＩＦを含むＤＣＩフォーマットに応じたＰＤＣＣＨのデコードを試みることを意味する。
【００７３】
下りリンクＢＩＦを含むＰＤＣＣＨをモニタすることは、下りリンクＢＩＦを含むＤＣＩフォーマットに応じたＰＤＣＣＨのデコードを試みることを意味する。
【００７４】
ＣＩＦ、および／または、下りリンクＢＩＦを含むＰＤＣＣＨをモニタすることは、ＣＩＦ、および／または、下りリンクＢＩＦを含むＤＣＩフォーマットに応じたＰＤＣＣＨのデコードを試みることを意味する。
【００７５】
基地局装置３は、プライマリセルにおいて送信されるＤＣＩフォーマットにＣＩＦが含まれるかどうかを示すパラメータを、上位層の信号を介して、端末装置１に送信してもよい。
【００７６】
基地局装置３は、セカンダリセルのそれぞれに対して、クロスキャリアスケジューリングに関連するパラメータを、上位層の信号を介して、端末装置１に送信してもよい。
【００７７】
クロスキャリアスケジューリングに関連するパラメータは、関連するセカンダリセルに対応するＰＤＣＣＨが、該セカンダリセルで送信されるか、他のサービングセルで送信されるかを示すセル選択パラメータを含む。
【００７８】
なお、上位層の信号は、ＲＭＳＩ（Remaining Minimum System Information）、ＯＳＩ（Other System Information）、ＲＲＣ（Radio ResourceControl）メッセージ、ＭＡＣＣＥ（Medium Access Control Control Element）のいずれかであってもよい。
【００７９】
セル選択パラメータが、関連するセカンダリセルに対応するＰＤＣＣＨが該セカンダリセルで送信されることを示している場合、セル選択パラメータは、該セカンダリセルにおいて送信されるＤＣＩフォーマットにＣＩＦが含まれるかどうかを示すパラメータを含む。
【００８０】
セル選択パラメータが、関連するセカンダリセルに対応するＰＤＣＣＨが他のサービングセルで送信されることを示している場合、セル選択パラメータは、関連する該セカンダリセルに対するＤＣＩフォーマットが何れのサービングセルで送られるかを示すパラメータを含む。
【００８１】
基地局装置３は、セル選択パラメータが、関連するセカンダリセルに対応するＰＤＣＣＨが他のサービングセルで送信されることを示している場合、該他のサービングセルにおけるＰＤＣＣＨに含まれるＣＩＦの何れの値に該セカンダリセルが対応するかを示す情報を、端末装置１に送信してもよい。
【００８２】
図６は、本実施形態におけるサービングセルと下りリンクＢＷＰの設定に関するシーケンスチャートを示す図である。
【００８３】
６００において、端末装置１は、プライマリセルにおける初期下りリンクＢＷＰにおいて、初期コネクション確立手順、コネクション再確立手順、または、ハンドオーバ手順を行う。つまり、端末装置１は、該初期下りリンクＢＷＰにおいて、初期ランダムアクセス手順を開始してもよい。なお、プライマリセルにおける初期下りリンクＢＷＰは、端末装置１が、検出したＳＳ（Synchronization Signal）ブロックによって示されるシステム情報（例えば、ＲＭＳＩ）に少なくとも基づいて決定されてもよい。
【００８４】
６０４において、端末装置１は、ＲＲＣＣｏｎｎｅｃｔｉｏｎＲｅｃｏｎｆｉｇｕｒａｔｉｏｎメッセージ６０５を受信する。ＲＲＣＣｏｎｎｅｃｔｉｏｎＲｅｃｏｎｆｉｇｕｒａｔｉｏｎメッセージ６０５は、プライマリセルに対する下りリンクＢＷＰのセット、セカンダリセル、および、セカンダリセルに対する下りリンクＢＷＰのセットの設定情報を含んでもよい。端末装置１は、当該設定情報に少なくとも基づいて、プライマリセルに対する下りリンクＢＷＰのセット、セカンダリセル、および、セカンダリセルに対する下りリンクＢＷＰのセットを設定してもよい。
【００８５】
６０７において、端末装置１は、ＲＲＣＣｏｎｎｅｃｔｉｏｎＲｅｃｏｎｆｉｇｕｒａｔｉｏｎメッセージ６０５に基づく設定が完了した後に、ＲＲＣＣｏｎｎｅｃｔｉｏｎＣｏｍｐｌｅｔｅメッセージ６０７を送信する。
【００８６】
以下、下りリンクＢＷＰの活性化について説明をする。
【００８７】
下りリンクＢＷＰを活性化することは、該下りリンクＢＷＰにおけるＰＤＣＣＨのモニタリングを開始することを意味する。また、下りリンクＢＷＰを活性化することは、該下りリンクＢＷＰにおいて、ＰＤＳＣＨを受信してもよいことを意味する。例えば、第１の下りリンクＢＷＰにおいてデコードされたＰＤＣＣＨによってスケジューリングされるＰＤＳＣＨが非活性化されている第２の下りリンクＢＷＰに対応する場合、端末装置１は、該第２の下りリンクＢＷＰにおいてＰＤＳＣＨを受信することができる。また、下りリンクＢＷＰを活性化することは、該下りリンクＢＷＰに対するＣＳＩを報告してもよいことを意味する。また、下りリンクＢＷＰを活性化することは、該下りリンクＢＷＰにおけるＰＤＳＣＨに対するＨＡＲＱ−ＡＣＫをフィードバックしてもよいことを意味する。
【００８８】
ある時点において、１つのサービングセルにおいて最大で１つの下りリンクＢＷＰが活性化されてもよい。すなわち、１つのサービングセルにおいて複数の下りリンクＢＷＰは同時に活性化されない。つまり、端末装置１は、１つのサービングセルにおいて複数の下りリンクＢＷＰが同時に活性化されることを想定しなくてもよい。例えば、端末装置１は、複数の下りリンクＢＷＰのそれぞれにおいて、ＰＤＣＣＨを同時にモニタすることを想定しなくてもない。
【００８９】
プライマリセルにおいて常に１つの下りリンクＢＷＰが活性化されてもよい。つまり、プライマリセルにおいて、少なくとも１つの下りリンクＢＷＰが常に活性化されてもよい。すなわち、プライマリセルは常に活性化されていてもよい。セカンダリセルにおいて全ての下りリンクＢＷＰが非活性化されていてもよい。活性化されている下りリンクＢＷＰを含むサービングセルを活性化されたサービングセルとも称する。活性化されている下りリンクＢＷＰを含まないサービングセルを非活性化されたサービングセルとも称する。活性化されている下りリンクＢＷＰを含むセカンダリセルを活性化されたセカンダリセルとも称する。活性化されている下りリンクＢＷＰを含まないセカンダリセルを非活性化されたセカンダリセルとも称する。何れの下りリンクＢＷＰも活性化されていないセカンダリセルにおける何れかの下りリンクＢＷＰを活性化することは、セカンダリセルを活性化することを意味する。セカンダリセルにおける全ての活性化されている下りリンクＢＷＰを非活性化することは、セカンダリセルを非活性化することを意味してもよい。
【００９０】
プライマリセルに対する下りリンクＢＷＰのセットが設定されるまで、例えば、初期アクセス手順が完了するまでは、プライマリセルにおける初期下りリンクＢＷＰが活性化されていてもよい。プライマリセルに対する下りリンクＢＷＰのセットが設定されたことに少なくとも基づいて、初期下りリンクＢＷＰを非活性化し、プライマリセルに対する下りリンクＢＷＰのセットのうちの何れかの下りリンクＢＷＰを活性化してもよい。ＲＲＣＣｏｎｎｅｃｔｉｏｎＲｅｃｏｎｆｉｇｕｒａｔｉｏｎメッセージ６０５は、プライマリセルに対する下りリンクＢＷＰのセットが設定されたことに少なくとも基づいて活性化される下りリンクＢＷＰを示す情報を含んでもよい。活性化されている下りリンクＢＷＰを非活性化し、非活性化されている下りリンクＢＷＰを活性化することは、活性化されている下りリンクＢＷＰを他の下りリンクＢＷＰにスイッチすることを意味する。
【００９１】
セカンダリセルが追加された時点においては、セカンダリセルにおける全ての下りリンクＢＷＰは非活性化されていてもよい。基地局装置３は、活性化／非活性化パラメータを含む上位層の信号を送ることによって、設定されたセカンダリセルを活性化および非活性化することができる。
【００９２】
つまり、セカンダリセルにおいて、セカンダリセルの活性化／非活性化のタイミングと該セカンダリセル内の下りリンクＢＷＰの活性化／非活性化のタイミングは異なってもよい。しかし、該セカンダリセル内の下りリンクＢＷＰの活性化は、該セカンダリセルの活性化と同じタイミングまたは該セカンダリセルの活性化よりも遅いタイミングで行なわれ
ることが好ましい。
【００９３】
上位層の信号は、ＲＲＣ（Ｒａｄｉｏ  Ｒｅｓｏｕｒｃｅ  Ｃｏｎｔｒｏｌ）シグナリングであってもよいし、ＭＡＣ  ＣＥ（Ｍｅｄｉｕｍ  Ａｃｃｅｓｓ  Ｃｏｎｔｒｏｌ  Ｃｏｎｔｒｏｌ  Ｅｌｅｍｅｎｔ）であってもよい。ここで、上位層の信号は、ＲＲＣ層の信号であってもよいし、ＭＡＣ層の信号であってもよい。
【００９４】
端末装置１は、設定されたサービングセルの活性化を指示する活性化／非活性化パラメータの受信に少なくとも基づいて、該設定されたセカンダリセルを活性化してもよい。端末装置１は、設定されたサービングセルの非活性化を指示する活性化／非活性化パラメータの受信に少なくとも基づいて、該設定されたセカンダリセルを非活性化してもよい。
【００９５】
ある下りリンクＢＷＰに対応するＰＤＣＣＨの検出に１回または所定の回数失敗した場合、または、該下りリンクＢＷＰに対応するＰＤＣＣＨのモニタリングに定められた時間が経過した場合に、活性化されている該下りリンクＢＷＰを非活性化し、非活性化されている他の下りリンクＢＷＰを活性化してもよい。該他の下りリンクＢＷＰをデフォルト下りリンクＢＷＰと称する。デフォルト下りリンクＢＷＰを除く下りリンクＢＷＰを非デフォルト下りリンクＢＷＰと称する。
【００９６】
図７は、本実施形態におけるセカンダリセルの活性化の一例を示す図である。
【００９７】
７００において、端末装置１は、セカンダリセルの活性化を指示する活性化／非活性化パラメータを受信する。
【００９８】
セカンダリセルに対する下りリンクＢＷＰのセットは、１つのデフォルト下りリンクＢＷＰと１つまたは複数の非デフォルト下りリンクＢＷＰを含んでもよい。セカンダリセルにおける非デフォルト下りリンクＢＷＰを、セカンダリセルにおける複数の下りリンクＢＷＰのうちのデフォルト下りリンクＢＷＰ以外の下りリンクＢＷＰとも称する。ＲＲＣＣｏｎｎｅｃｔｉｏｎＲｅｃｏｎｆｉｇｕｒａｔｉｏｎメッセージ６０５は、セカンダリセルにおけるデフォルト下りリンクＢＷＰ、および／または、非デフォルト下りリンクＢＷＰを示す情報を含んでもよい。
【００９９】
７０２において、端末装置１は、セカンダリセルにおける非デフォルト下りリンクＢＷＰが活性化されているかどうかを判定してもよい。
【０１００】
（７０２−１）セカンダリセルにおける非デフォルト下りリンクＢＷＰが活性化されていない場合、端末装置１は、セカンダリセルにおけるデフォルト下りリンクＢＷＰを活性化し、セカンダリセルの活性化に関する処理を終了してもよい。
【０１０１】
（７０２−２）セカンダリセルにおける非デフォルト下りリンクＢＷＰが活性化されている場合、端末装置１は、セカンダリセルにおけるデフォルト下りリンクＢＷＰを活性化せずに、セカンダリセルの活性化に関する処理を終了してもよい。
【０１０２】
７０２において、端末装置１は、セカンダリセルにおける何れかの下りリンクＢＷＰが活性化されているかどうかを判定してもよい。
【０１０３】
（７０２−１）セカンダリセルにおける何れかの下りリンクＢＷＰも活性化されていない場合、端末装置１は、セカンダリセルにおけるデフォルト下りリンクＢＷＰを活性化し、セカンダリセルの活性化に関する処理を終了してもよい。
【０１０４】
（７０２−２）セカンダリセルにおける何れかの下りリンクＢＷＰが活性化されている場合、端末装置１は、セカンダリセルにおけるデフォルト下りリンクＢＷＰを活性化せずに、セカンダリセルの活性化に関する処理を終了してもよい。
【０１０５】
基地局装置３は、下りリンク制御情報を送ることによって、活性化されている下りリンクＢＷＰを他の下りリンクＢＷＰにスイッチすることができる。下りリンクＢＷＰにはインデックスが割り当てられていてもよい。当該下りリンク制御情報は下りリンクＢＷＰのインデックスを示す下りリンクＢＷＰインデックス情報（ＢＩＦ）を含んでもよい。当該下りリンク制御情報は、下りリンクＢＩＦによって示される下りリンクＢＷＰにおける、ＰＤＳＣＨのために割り当てられるリソースを示す情報を含んでもよい。該下りリンクＢＩＦによって示される下りリンクＢＷＰにおける、ＰＤＳＣＨのために割り当てられるリソースを示す情報はＲＡＦ（Resource Allocation Field）にマップされてもよい。
【０１０６】
端末装置１は、活性化されている下りリンクＢＷＰを含むサービングセルにおける非活性化されている下りリンクＢＷＰを示す下りリンクＢＩＦを含む下りリンク制御情報を受信した場合に、当該サービングセルにおける活性化されている下りリンクＢＷＰを、当該下りリンクＢＩＦによって示される下りリンクＢＷＰにスイッチしてもよい。
【０１０７】
端末装置１は、あるサービングセルにおける活性化されている下りリンクＢＷＰにおいて、当該あるサービングセルにおける非活性化されている下りリンクＢＷＰを示す下りリンクＢＩＦを含む下りリンク制御情報を受信した場合、当該あるサービングセルにおいて、活性化されている下りリンクＢＷＰを、当該下りリンクＢＩＦによって示される下りリンクＢＷＰにスイッチしてもよい。
【０１０８】
端末装置１は、あるサービングセルにおける活性化されている下りリンクＢＷＰにおいて、他のサービングセルにおける非活性化されている下りリンクＢＷＰを示す下りリンクＢＩＦを含む下りリンク制御情報を受信したことに少なくとも基づいて、当該あるサービングセルにおいて、活性化されている下りリンクＢＷＰをスイッチしなくてもよい。
【０１０９】
図８は、本実施形態におけるサービングセル間における下りリンクＢＷＰの活性化の一例を示す図である。
【０１１０】
図８において、サービングセル８９１はプライマリセルであり、サービングセル８９２はセカンダリセルであってもよい。また、サービングセル８９１は第１のセカンダリセルであり、サービングセル８９２は第２のセカンダリセルであってもよい。
【０１１１】
８０１は、サービングセル８９１に対して設定された帯域幅（下りリンク帯域幅、送信帯域幅、チャネル帯域幅）である。８０１において、下りリンクＢＷＰ８３１、および、下りリンク８４１が設定（構成）されてもよい。なお、下りリンクＢＷＰ８３１は、デフォルト下りリンクＢＷＰであってもよい。下りリンクＢＷＰ８４１非デフォルト下りリンクＢＷＰであってもよい。
【０１１２】
８０２はサービングセル８９２に対して設定された帯域幅（下りリンク帯域幅、送信帯域幅、チャネル帯域幅）である。８０２において、下りリンクＢＷＰ８５２、および、下りリンク８６２が設定（構成）されてもよい。なお、下りリンクＢＷＰ８５２は、デフォルト下りリンクＢＷＰであってもよい。下りリンクＢＷＰ８６２は、非デフォルト下りリンクＢＷＰであってもよい。
【０１１３】
８０３は、端末装置１が下りリンクＢＷＰを活性化／非活性化を開始する時間を示す時間軸である。８０４はサービングセル８９１における下りリンク８３１を活性化する時間
であってもよい。即ち、８０４は初期接続設定が終了した時であってもよい。８０５は下りリンクＢＷＰ８３１を非活性化し、下りリンクＢＷＰ８４１を活性化する時間であり、サービングセル８９２における下りリンクＢＷＰ８５２を活性化する時間でもある。また、８０６は下りリンクＢＷＰ８５２を非活性化し、下りリンクＢＷＰ８６２を活性化する時間である。また、８０７は下りリンクＢＷＰ８４１を非活性化し下りリンクＢＷＰ８３１を活性化する時間であり、下りリンクＢＷＰ８６２を非活性化し下りリンクＢＷＰ８５２を活性化する時間でもある。
【０１１４】
８０４から下りリンクＢＷＰ活性化期間８３０における初期状態の下りリンクＢＷＰ８３１はサービングセル８９２における下りリンクＢＷＰのためのＰＤＣＣＨをモニタリングするサーチスペースを設定しなくてもよい。
【０１１５】
８３０は、下りリンクＢＷＰ８３１が活性化されている期間である。また、８４０は下りリンクＢＷＰ８４１が活性化されている期間を示している。また、８５０は下りリンクＢＷＰ８５２が活性化されている期間を示している。また、８６０は下りリンクＢＷＰ８６２が活性化されている期間を示している。
【０１１６】
８３３、８４２、８４３および８７２はそれぞれＣＯＲＥＳＥＴ（Control Resource Set）である。端末装置１は、ＣＯＲＥＳＥＴにおいてＰＤＣＣＨをモニタする。８３３、および、８７２は、第１のＣＯＲＥＳＥＴの設定に対応している。８４２、および、８４３は、第２のＣＯＲＥＳＥＴの設定に対応している。ＣＯＲＥＳＥＴの設定は、ＣＯＲＥＳＥＴの帯域幅、ＣＯＲＥＳＥＴを構成するＯＦＤＭシンボルの数、および／または、ＣＯＲＥＳＥＴの周期を少なくとも含んでもよい。
【０１１７】
下りリンクＢＷＰ８３１はＣＯＲＥＳＥＴ８３３を含み、下りリンクＢＷＰ８４１はＣＯＲＥＳＥＴ８６０、および、ＣＯＲＥＳＥＴ８４３を含む。
【０１１８】
端末装置１は、下りリンクＢＷＰ８３１が活性化されている場合に、第１のＣＯＲＥＳＥＴの設定に対応するＣＯＲＥＳＥＴ８３３においてＰＤＣＣＨをモニタしてもよい。
【０１１９】
端末装置１は、下りリンクＢＷＰ８４１が活性化されている場合に、第２のＣＯＲＥＳＥＴの設定に対応するＣＯＲＥＳＥＴ８４２、および、ＣＯＲＥＳＥＴ８４３においてＰＤＣＣＨをモニタしてもよい。
【０１２０】
ＣＯＲＥＳＥＴ８３３は、サービングセル８９１の下りリンクＢＷＰ８３１、または、下りリンクＢＷＰ８４１におけるＰＤＳＣＨをスケジューリングするためのＰＤＣＣＨをモニタするサーチスペース８３５を含む。
【０１２１】
ＣＯＲＥＳＥＴ８４２は、サービングセル８９１の下りリンクＢＷＰ８４１、または、下りリンクＢＷＰ８３１におけるＰＤＳＣＨをスケジューリングするためのＰＤＣＣＨをモニタするサーチスペース８４５を含む。
【０１２２】
ＣＯＲＥＳＥＴ８４２は、サービングセル８９２の下りリンクＢＷＰ８５２、または、下りリンクＢＷＰ８６２におけるＰＤＳＣＨをスケジューリングするためのＰＤＣＣＨをモニタするサーチスペース８４６を含む。
【０１２３】
ＣＯＲＥＳＥＴ８４３は、サービングセル８９１の下りリンクＢＷＰ８４１、または、下りリンクＢＷＰ８３１におけるＰＤＳＣＨをスケジューリングするためのＰＤＣＣＨをモニタするサーチスペース８４７を含む。
【０１２４】
ＣＯＲＥＳＥＴ８４３は、サービングセル８９２の下りリンクＢＷＰ８６２、または、下りリンクＢＷＰ８５２におけるＰＤＳＣＨをスケジューリングするためのＰＤＣＣＨをモニタするサーチスペース８４８を含む。
【０１２５】
ＣＯＲＥＳＥＴ８７２は、サービングセル８９１の下りリンクＢＷＰ８３１、または、下りリンクＢＷＰ８４１におけるＰＤＳＣＨをスケジューリングするためのＰＤＣＣＨをモニタするサーチスペース８７３を含む。
【０１２６】
ＣＯＲＥＳＥＴ８７２は、サービングセル８９２の下りリンクＢＷＰ８５２、または、下りリンクＢＷＰ８６２におけるＰＤＳＣＨをスケジューリングするためのＰＤＣＣＨをモニタするサーチスペース８７４を含む。
【０１２７】
端末装置１の初期状態である８０４から開始する下りリンクＢＷＰ活性化期間８３０において、サービングセル８９２、および／または、サービングセル８９２における全ての下りリンクＢＷＰは活性化されていなくてもよい。
【０１２８】
図８において、端末装置１は、下りリンクＢＷＰ８５２、および、下りリンクＢＷＰ８６２が非活性化されており、且つ、下りリンクＢＷＰ活性化期間８３０においてサービングセル８９２の活性化を指示する活性化／非活性化パラメータを受信したことに少なくとも基づいて、サービングセル８９２のデフォルト下りリンクＢＷＰである、下りリンクＢＷＰ８５２を活性化してもよい。
【０１２９】
端末装置１は、活性化されているサービングセル８９１の下りリンクＢＷＰ８３１において、下りリンクＢＷＰ８５２を示す下りリンクＢＩＦを含むＰＤＣＣＨを検出したことに少なくとも基づいて、サービングセル８９２のデフォルト下りリンクＢＷＰである、下りリンクＢＷＰ８５２を活性化してもよい。
【０１３０】
（８９３）端末装置１は、下りリンクＢＷＰ活性化期間８３０におけるサービングセル８９１の下りリンクＢＷＰ８３１における該下りリンクＢＷＰ８３１に対応するサーチスペース８３５において、下りリンクＢＷＰ８４１を示す下りリンクＢＩＦを含むＰＤＣＣＨを検出したことに少なくとも基づいて、活性化されている下りリンクＢＷＰ８３１を非活性化し、非活性化されている下りリンクＢＷＰ８４１を活性化してもよい。
【０１３１】
端末装置１は、下りリンクＢＷＰ活性化期間８４０におけるサービングセル８９１の下りリンクＢＷＰ８４１における該下りリンクＢＷＰ８４１に対応するサーチスペース８４５において、下りリンクＢＷＰ８４１を示す下りリンクＢＩＦを含むＰＤＣＣＨを検出したことに少なくとも基づいて、活性化されている下りリンクＢＷＰ８４１を活性化してもよい。
【０１３２】
（８９４）端末装置１は、下りリンクＢＷＰ活性化期間８４０におけるサービングセル８９１の下りリンクＢＷＰ８４１におけるサービングセル８９２における下りリンクＢＷＰ８５２に対応するサーチスペース８４６において、下りリンクＢＷＰ８６２を示す下りリンクＢＩＦを含むＰＤＣＣＨを検出したことに少なくとも基づいて、活性化されている下りリンクＢＷＰ８５２を非活性化し、非活性化されている下りリンクＢＷＰ８６２を活性化してもよい。
【０１３３】
（８９５）端末装置１は、下りリンクＢＷＰ活性化期間８４０におけるサーチスペース８４７において、下りリンクＢＷＰ８３１を示す下りリンクＢＩＦを含むＰＤＣＣＨを検出したことに少なくとも基づいて、活性化されている下りリンクＢＷＰ８４１を非活性化し、非活性化されている下りリンクＢＷＰ８３１を活性化してもよい。
【０１３４】
（８９５）端末装置１は、下りリンクＢＷＰ活性化期間８４０におけるサーチスペース８４７において、下りリンクＢＷＰ８４１に対するＰＤＣＣＨの検出に１回または所定の回数失敗した場合、または、下りリンクＢＷＰ８４１に対するＰＤＣＣＨのモニタリングに定められた時間が経過した場合には、活性化されている下りリンクＢＷＰ８４１を非活性化し、非活性化されているデフォルト下りリンクＢＷＰである下りリンクＢＷＰ８３１を活性化してもよい。
【０１３５】
（８９６）端末装置１は、下りリンクＢＷＰ活性化期間８４０におけるサーチスペース８４８において、下りリンクＢＷＰ８５２を示す下りリンクＢＩＦを含むＰＤＣＣＨを検出したことに少なくとも基づいて、活性化されている下りリンクＢＷＰ８６２を非活性化し、非活性化されている下りリンクＢＷＰ８５２を活性化してもよい。
【０１３６】
（８９６）端末装置１は、下りリンクＢＷＰ活性化期間８４０におけるサーチスペース８４８において、下りリンクＢＷＰ８６２に対するＰＤＣＣＨの検出に１回または所定の回数失敗した場合、または、下りリンクＢＷＰ８６２に対するＰＤＣＣＨのモニタリングに定められた時間が経過した場合には、活性化されている下りリンクＢＷＰ８６２を非活性化し、非活性化されているデフォルト下りリンクＢＷＰである下りリンクＢＷＰ８５２を活性化してもよい。
【０１３７】
図９は、本実施形態におけるサービングセル間のＰＤＳＣＨスケジューリングの一例を示す図である。
【０１３８】
図９において、サービングセル９００はプライマリセルであり、サービングセル９５０はセカンダリセルであってもよい。
【０１３９】
下りリンクＢＷＰ８４１が下りリンクＢＷＰ９０１であってもよい。
【０１４０】
下りリンクＢＷＰ８６２が下りリンクＢＷＰ９５１であってもよい。
【０１４１】
端末装置１は、サービングセル９００の活性化されている下りリンクＢＷＰ９０１において、サービングセル９００における何れかの下りリンクＢＷＰに対応するＰＤＳＣＨをスケジューリングするＰＤＣＣＨのデコードをサーチスペース９０２で試みる。
【０１４２】
（９０３）サービングセル９００の活性化された下りリンクＢＷＰ９０１において、サーチスペース９０２においてデコードされたＰＤＣＣＨに含まれる下りリンクＢＩＦ９１８の値が活性化されている下りリンクＢＷＰ９０１に対応する場合、端末装置１は下りリンクＢＷＰ９０１においてＲＡＦ９２０に少なくとも基づいてＰＤＳＣＨ９０５を受信する。サービングセル９００の活性化された下りリンクＢＷＰ９０１において、サービングセル９００に対応する値にセットされたＣＩＦ９１９を含むＰＤＣＣＨに含まれる下りリンクＢＩＦ９１８の値が活性化されている下りリンクＢＷＰ９０１に対応する場合、端末装置１は下りリンクＢＷＰ９０１においてＲＡＦ９２０に少なくとも基づいてＰＤＳＣＨ９０５を受信する。ここで、ＰＤＳＣＨ９０５のために割り当てられるリソースは、ＰＤＣＣＨ９１５に含まれるＲＡＦ９２０によって与えられる。例えば、周波数領域において、下りリンクＢＷＰ９０１に対応する複数の物理リソースブロックのうちＰＤＳＣＨ９０５のために割り当てられる物理リソースブロックは、ＰＤＣＣＨ９１５に含まれるＲＡＦ９２０によって与えられてもよい。
【０１４３】
（９０６）サービングセル９００の活性化された下りリンクＢＷＰ９０１において、サーチスペース９０２においてデコードされたＰＤＣＣＨに含まれる下りリンクＢＩＦ９１８の値が非活性化されているサービングセル９００の下りリンクＢＷＰ９０４である場合、端末装置１は下りリンクＢＷＰ９０４を活性化し、活性化した下りリンクＢＷＰ９０４においてＰＤＳＣＨ９０７を受信する。サービングセル９００の活性化された下りリンクＢＷＰ９０１において、サービングセル９００に対応する値にセットされたＣＩＦ９１９を含むＰＤＣＣＨに含まれる下りリンクＢＩＦ９１８の値が非活性化されている下りリンクＢＷＰ９０４に対応する場合、端末装置１は下りリンクＢＷＰ９０４を活性化し、活性化した下りリンクＢＷＰ９０４においてＰＤＳＣＨ９０７を受信する。ここで、ＰＤＳＣＨ９０７のために割り当てられるリソースは、ＰＤＣＣＨ９１５に含まれるＲＡＦ９２０によって与えられてもよい。例えば、周波数領域において、下りリンクＢＷＰ９０４に対応する複数の物理リソースブロックのうちＰＤＳＣＨ９０７のために割り当てられる物理リソースブロックは、ＰＤＣＣＨ９１５に含まれるＲＡＦ９２０によって与えられてもよい。
【０１４４】
端末装置１は、サービングセル９００の活性化されている下りリンクＢＩＦ９０１において、サービングセル９５０における何れかの下りリンクＢＷＰに対応するＰＤＳＣＨをスケジューリングするＰＤＣＣＨのデコードをサーチスペース９０９で試みる。
【０１４５】
（９５６）サービングセル９００の活性化された下りリンクＢＷＰ９０１において、サーチスペース９０９においてデコードされたＰＤＣＣＨに含まれる下りリンクＢＩＦ９１６の値が活性化されている下りリンクＢＷＰ９５１である場合、端末装置１は下りリンクＢＷＰ９５１においてＰＤＳＣＨ９５３を受信する。サービングセル９００の活性化された下りリンクＢＷＰ９０１において、サービングセル９５０に対応する値にセットされたＣＩＦ９１７を含むＰＤＣＣＨに含まれる下りリンクＢＩＦ９１６の値が活性化されている下りリンクＢＷＰ９５１に対応する場合、端末装置１は下りリンクＢＷＰ９５１においてＰＤＳＣＨ９５３を受信する。ここで、ＰＤＳＣＨ９５３のために割り当てられるリソースは、ＰＤＣＣＨ９１４に含まれるＲＡＦ９２１によって与えられてもよい。例えば、周波数領域において、下りリンクＢＷＰ９５１に対応する複数の物理リソースブロックのうちＰＤＳＣＨ９５３のために割り当てられる物理リソースブロックは、ＰＤＣＣＨ９１４に含まれるＲＡＦ９２１によって与えられてもよい。
【０１４６】
（９５７）サービングセル９００の活性化された下りリンクＢＷＰ９０１において、サーチスペース９０９においてデコードされたＰＤＣＣＨに含まれる下りリンクＢＩＦ９１６の値が非活性化されている下りリンクＢＷＰ９５４である場合、端末装置１は下りリンクＢＷＰ９５４を活性化し、下りリンクＢＷＰ９５４においてＰＤＳＣＨ９５５を受信する。サービングセル９００の活性化された下りリンクＢＷＰ９０１において、サービングセル９５０に対応する値にセットされたＣＩＦ９１７を含むＰＤＣＣＨに含まれる下りリンクＢＩＦ９１６の値が非活性化されている下りリンクＢＷＰ９５４に対応する場合、端末装置１は下りリンクＢＷＰ９５４を活性化し、活性化した下りリンクＢＷＰ９５４においてＰＤＳＣＨ９５５を受信する。ここで、ＰＤＳＣＨ９５５のために割り当てられるリソースは、ＰＤＣＣＨ９１４に含まれるＲＡＦ９２１によって与えられてもよい。例えば、周波数領域において、下りリンクＢＷＰ９５４に対応する複数の物理リソースブロックのうちＰＤＳＣＨ９５５のために割り当てられる物理リソースブロックは、ＰＤＣＣＨ９１４に含まれるＲＡＦ９２１によって与えられてもよい。
【０１４７】
図１０は、本実施形態におけるＣＩＦの値、下りリンクＢＩＦの値、サービングセル、および、下りリンクＢＷＰの対応に関する表を示す図である。例えば、０にセットされるＣＩＦおよび０にセットされる下りリンクＢＩＦを含むＰＤＣＣＨが検出され、且つ、サービングセル９００における下りリンクＢＷＰ９０１が活性化されている場合は、端末装置１は活性化されている該下りリンクＢＷＰ９０１でＰＤＳＣＨを受信する。０にセットされるＣＩＦおよび０にセットされる下りリンクＢＩＦを含むＰＤＣＣＨが検出され、且つ、サービングセル９００における下りリンク９０１が非活性化されている場合は、下りリンクＢＷＰ９０１を活性化し、該下りリンクＢＷＰ９０１でＰＤＳＣＨを受信する。
【０１４８】
各サービングセルにおける下りリンクＢＷＰに対するサーチスペースはＣＩＦの値に少なくとも基づいて与えられてもよい。また、各サービングセルにおける下りリンクＢＷＰに対するサーチスペースは下りリンクＢＩＦの値に関わらず与えられてもよい。
【０１４９】
ＰＤＳＣＨをスケジューリングするＰＤＣＣＨがマップされるサーチスペースは、各サービングセルを示すＣＩＦの値に少なくとも基づいて構成されてもよい。ＰＤＳＣＨをスケジューリングするＰＤＣＣＨがマップされるサーチスペースは、各下りリンクＢＷＰを示す下りリンクＢＩＦの値とは関係なく構成されてもよい。また、各サービングセルに対応するサーチスペースにおいてＰＤＣＣＨを試みるＰＤＣＣＨ候補の数は、ＣＩＦの値が示すサービングセル毎で与えられてもよい。
【０１５０】
端末装置１に対してセカンダリーセルが追加および活性化される場合、端末装置１は、該追加および活性化されるセカンダリーセルが対応するＣＩＦの値に対応するサーチスペースにおいてＰＤＣＣＨのモニタを開始する。すなわち、端末装置１に対してセカンダリーセルが追加および活性化される場合、端末装置１がＰＤＣＣＨをモニタするＰＤＣＣＨ候補は増える。例えば、サービングセル９５０が追加および活性化されたことに基づいて、端末装置１はサーチスペース９０９においてＰＤＣＣＨのモニタを開始してもよい。
【０１５１】
既に設定されているサービングセルに対して下りリンクＢＷＰが追加される場合、端末装置１は、該既に設定されているサービングセルに対するサーチスペースにおいてＰＤＣＣＨのモニタを開始する。すなわち、端末装置１に対して下りリンクＢＷＰが追加されたとしても、端末装置１がＰＤＣＣＨをモニタするＰＤＣＣＨ候補は増えない。例えば、既に下りリンクＢＷＰ９０１が設定されている場合、下りリンクＢＷＰ９０４が追加されたとしても、端末装置１は、端末装置１が下りリンクＢＷＰ９０１に対するＰＤＣＣＨモニタしていたサーチスペース９０２において下りリンクＢＷＰ９０４に対するＰＤＣＣＨのモニタを開始してもよい。
【０１５２】
ＢＷＰ９０１に対するＰＤＣＣＨとＢＷＰ９０４に対するＰＤＣＣＨは、サーチスペース９０２に含まれるＰＤＣＣＨ候補にマップされてもよい。ＢＷＰ９５１に対するＰＤＣＣＨとＢＷＰ９５４に対するＰＤＣＣＨは、サーチスペース９０９に含まれるＰＤＣＣＨ候補にマップされてもよい。
【０１５３】
ＢＷＰ９０１に対する下りリンク制御情報のサイズは、ＢＷＰ９０４に対する下りリンク制御情報のサイズと同じでもよい。ＢＷＰ９５１に対する下りリンク制御情報のサイズは、ＢＷＰ９５４に対する下りリンク制御情報のサイズと同じでもよい。
【０１５４】
ＢＷＰ９０１に対する下りリンク制御情報のサイズとＢＷＰ９０４に対する下りリンク制御情報のサイズを０にセットされるＣＩＦに対応する下りリンク制御情報のサイズとも称する。ＢＷＰ９５１に対する下りリンク制御情報のサイズとＢＷＰ９５４に対する下りリンク制御情報のサイズを１にセットされるＣＩＦに対応する下りリンク制御情報のサイズとも称する。
０にセットされるＣＩＦに対応する下りリンク制御情報は、ＢＷＰ９０１に対する下りリンク制御情報、および、ＢＷＰ９０４に対する下りリンク制御情報を含む。
１にセットされるＣＩＦに対応する下りリンク制御情報は、ＢＷＰ９５１に対する下りリンク制御情報、および、ＢＷＰ９５４に対する下りリンク制御情報を含む。
【０１５５】
０にセットされるＣＩＦに対応する下りリンク制御情報のサイズが、１にセットされるＣＩＦに対応する下りリンク制御情報のサイズと同じ場合、ＢＷＰ９０１に対する下りリンク制御情報を含むＰＤＣＣＨ、および、ＢＷＰ９０４に対する下りリンク制御情報を含むＰＤＣＣＨは、サーチスペース９０９にマップされてもよい。０にセットされるＣＩＦに対応する下りリンク制御情報のサイズが、１にセットされるＣＩＦに対応する下りリンク制御情報のサイズと異なる場合、ＢＷＰ９０１に対する下りリンク制御情報を含むＰＤＣＣＨ、および、ＢＷＰ９０４に対する下りリンク制御情報を含むＰＤＣＣＨは、サーチスペース９０９にマップされない。
【０１５６】
０にセットされるＣＩＦに対応する下りリンク制御情報のサイズが、１にセットされるＣＩＦに対応する下りリンク制御情報のサイズと同じ場合、ＢＷＰ９５１に対する下りリンク制御情報を含むＰＤＣＣＨ、および、ＢＷＰ９５４に対する下りリンク制御情報を含むＰＤＣＣＨは、サーチスペース９０２にマップされてもよい。０にセットされるＣＩＦに対応する下りリンク制御情報のサイズが、１にセットされるＣＩＦに対応する下りリンク制御情報のサイズと異なる場合、ＢＷＰ９５１に対する下りリンク制御情報を含むＰＤＣＣＨ、および、ＢＷＰ９５４に対する下りリンク制御情報を含むＰＤＣＣＨは、サーチスペース９０２にマップされない。
【０１５７】
端末装置１は、非活性化されている下りリンクＢＷＰのサーチスペース９１０、９１３においてＰＤＣＣＨをモニタしなくてもよい。
【０１５８】
サーチスペース９０２とサーチスペース９０９に対応するＣＣＥインデックスはＣＩＦの値に少なくとも基づいて与えられてもよい。
【０１５９】
以下、ＣＯＲＥＳＥＴの構成について説明をする。
【０１６０】
図１１は、本実施形態におけるＣＯＲＥＳＥＴの一例を示す図である。時間領域において、ＣＯＲＥＳＥＴはスロットの最初のＯＦＤＭシンボルに含まれてもよい。ＣＯＲＥＳＥＴは、周波数領域において連続する複数のリソースエレメントから構成されてもよい。ＣＯＲＥＳＥＴは複数のＣＣＥから構成されてもよい。１つのＣＣＥは周波数領域において連続する６つのＲＥＧから構成されてもよい。１つのＲＥＧは周波数領域において連続する１２のリソースエレメントから構成されてもよい。
【０１６１】
図１２は、本実施形態におけるサーチスペースの一例を示す図である。サーチスペースは、ＰＤＣＣＨ候補のセットである。ＰＤＣＣＨはＰＤＣＣＨ候補において送信される。端末装置１は、サーチスペースにおいてＰＤＣＣＨのデコードを試みる。ＰＤＣＣＨ候補は、１つまたは複数の連続するＣＣＥから構成されてもよい。ＰＤＣＣＨ候補を構成するＣＣＥの数をアグリゲーションレベルとも称する。サーチスペースはアグリゲーションレベル毎に定義されてもよい。サーチスペース１２Ａはアグリゲーションレベルが１６であるＰＤＣＣＨ候補１２ＡＡを含む。サーチスペース１２Ｂはアグリゲーションレベルが８であるＰＤＣＣＨ候補１２ＢＡ、１２ＢＢを含む。
【０１６２】
端末装置１は、サービングセルの１つのスロットにおけるＰＤＣＣＨ候補のセットをモニタする。端末装置１は、サービングセルの１つのスロットにおける全てのＰＤＣＣＨ候補をモニタしなくてもよい。モニタリングは、モニタされるＤＣＩフォーマットに応じて、ＰＤＣＣＨ候補のセットにおけるＰＤＣＣＨのそれぞれのデコードを試みることを意味する。
【０１６３】
基地局装置３は、端末装置１によってモニタされる、サービングセルの１つのスロットにおけるＰＤＣＣＨ候補のセットの中から、端末装置１に対するＰＤＣＣＨの送信のために用いられるＰＤＣＣＨ候補を選択する。
【０１６４】
モニタされるＰＤＣＣＨ候補のセットを、サーチスペースとも称する。複数のサーチスペースは、複数のＣＳＳ（CommonSearch Space）、および、複数のＵＳＳ（User equipment-specific SearchSpace）を含む。複数のＣＳＳは、複数のＣＳＳを含む。複数のＵＳＳは、複数のＵＳＳを含む。１つのＵＳＳは、複数のＰＤＣＣＨ候補から構成される１つのセットである。
【０１６５】
同じＣＳＳに含まれるＰＤＣＣＨ候補は、同じ数のＣＣＥ（Control Channel Element）から構成される。同じＵＳＳに含まれるＰＤＣＣＨ候補は、同じ数のＣＣＥから構成される。ＰＤＣＣＨ候補を構成するＣＣＥの数を、アグリゲーションレベルＬ（aggregation level）と称する。ＣＣＥは、ＰＤＣＣＨ領域に含まれる複数のリソースエレメントから構成される。ＵＳＳは、アグリゲーションレベル毎に定義される。
【０１６６】
ＰＤＣＣＨがモニタされるサービングセルのそれぞれに対して、スロットｋにおけるアグリゲーションレベルＬに対応するＵＳＳ  Ｓｐ，ｋ（Ｌ）に含まれるＰＤＣＣＨ候補ｍに対応する１つまたは複数のＣＣＥは、数式（１）、および、数式（２）によって与えられてもよい。
【０１６７】
【数１】
2019087770.tif 000003
【数２】
2019087770.tif 000004
【０１６８】
Ｘ  ｍｏｄ  Ｙは、ＸをＹで割ったときの余りを返す関数である。ｆｌｏｏｒは、入力された値の少数点以下を切り捨てた値を返す関数である。ＮＣＣＥ，ｐ，ｋは、スロットｋにおけるＣＯＲＥＳＥＴ  ｐに含まれるＣＣＥの総数である。ｍは、ＵＳＳ  Ｓｐ，ｋ（Ｌ）に含まれるＰＤＣＣＨ候補のインデックスである。ｂはＣＩＦ値である。Ｍｐ（Ｌ）は、ＵＳＳ  Ｓｐ，ｋ（Ｌ）においてモニタされるＰＤＣＣＨ候補の数である。ＵＳＳＳｐ，ｋ（Ｌ）は、ＣＩＦ値毎に定義される。端末装置１は、モニタするＤＣＩフォーマットに含まれるＣＩＦがセットされうる値に対応するＵＳＳ  Ｓｐ，ｋ（Ｌ）をモニタする。ｎＲＮＴＩは、ＲＮＴＩの値であってもよい。本実施形態において、ｎＲＮＴＩは、Ｃ−ＲＮＴＩの値であってもよい。
【０１６９】
Ｍｐ（Ｌ）は、アグリゲーションレベルＬ、ＣＯＲＥＳＥＴ  ｐに含まれるＰＲＢの数、および、サービングセルにおける１つのスロットにおいて設定されるＣＯＲＥＳＥＴの数などに少なくとも基づいて与えられてもよい。
【０１７０】
図１３は、本実施形態における１つのサービングセルの１つのスロットｋにおける１つのＣＯＲＥＳＥＴ  ｐにおけるＵＳＳの一例を示す図である。図１３におけるＵＳＳは、数式（１）、および、数式（２）によって与えられる。図１３において、横軸は１つのサービングセルの１つのスロットｋにおける１つのＣＯＲＥＳＥＴ  ｐに含まれるＣＣＥのインデックスｎＣＣＥ，ｐ、ｋである。図１３は、ＣＩＦ値０に対応するＵＳＳ１３００、および、ＣＩＦ値１に対応するＵＳＳ１３０１を含む。ｂが付された太線の四角は、ＣＩＦ値ｂに対応するＵＳＳに含まれるＰＤＣＣＨ候補である。図１３において、ＮＣＣＥ，ｐ，ｋは３２、Ｌは２、且つ、Ｙｐ，ｋは０である。図１３において、ＵＳＳ１３００、１３０１のそれぞれに対して、Ｍｐ（Ｌ）は６である。
【０１７１】
図１３において、あるＣＩＦ値に対応するＵＳＳに含まれるＰＤＣＣＨ候補ｍ＝ｘは、該あるＣＩＦ値より１つ大きいＣＩＦ値に対応するＵＳＳに含まれるＰＤＣＣＨ候補ｍ＝ｘと隣接する。
【０１７２】
端末装置１がサービングセルにおいてＣＩＦを含むＰＤＣＣＨをモニタするよう設定されていない場合、数式（１）におけるｍの値は０であってもよい。
【０１７３】
以下、本実施形態における、端末装置１および基地局装置３の種々の態様について説明する。
【０１７４】
（１）本実施形態の第１の態様は、端末装置１であって、第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨを受信し、第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨを受信する受信部を備え、前記第１のＰＤＣＣＨは前記第１のサービングセルにおける第１のサーチスペースにマップされ、前記第２のＰＤＣＣＨは前記第１のサービングセルにおける第２のサーチスペースにマップされる。例えば、サービングセル９００の活性化された下りリンクＢＷＰ９０１におけるＰＤＳＣＨ９０５はサービングセル９００におけるサーチスペース９０２にマップされ、サービングセル９５０の活性化された下りリンクＢＷＰ９５１におけるＰＤＳＣＨ９５３はサービングセル９００におけるサーチスペース９０９にマップされる。
【０１７５】
（２）本実施形態の第１の態様において、前記第１のサーチスペースは前記第１のＰＤＣＣＨのデコードを試みる第１のＰＤＣＣＨ候補のセットであり、前記第２のサーチスペースは前記第２のＰＤＣＣＨのデコードを試みる第２のＰＤＣＣＨ候補のセットである。例えば、ＣＩＦ９１９の値ｂが０に対応するプライマリセルの活性化された下りリンクＢＷＰに対応するＣＣＥとＣＩＦ９１７の値ｂが１に対応するセカンダリセルの活性化された下りリンクＢＷＰに対応するＣＣＥは異なってもよい。
【０１７６】
（３）本実施形態の第１の様態において、前記第１のサーチスペースの前記第１のＰＤＣＣＨ候補に対応するＣＣＥはＣＩＦの第１の値に少なくとも基づいて与えられ、前記第２のサーチスペースの前記第２のＰＤＣＣＨ候補に対応するＣＣＥは前記ＣＩＦの第２の値に少なくとも基づいて与えられ、前記第１の下りリンク制御情報は前記第１の値にセットされた前記ＣＩＦを含み、前記第２の下りリンク制御情報は前記第２の値にセットされた前記ＣＩＦを含む。
【０１７７】
（４）本実施形態の第１の様態において、下りリンクＢＷＰの第１のセットに属する何れかの下りリンクＢＷＰに対応する値にセットされる下りリンクＢＩＦを含む第１のＰＤＣＣＨを受信し、下りリンクＢＷＰの第２のセットに属する何れかの下りリンクＢＷＰに対応する値にセットされる下りリンクＢＩＦを含む第２のＰＤＣＣＨを受信する受信部を備え、前記第１のＰＤＣＣＨは第１のサービングセルに含まれる第１のサーチスペースにマップされ、前記第２のＰＤＣＣＨは前記第１のサービングセルに含まれる第２のサーチスペースにマップされる。
【０１７８】
（５）本実施形態の第１の様態において、前記第１のＰＤＣＣＨに含まれるＣＩＦ（carrierindicator field）は第１の値にセットされ、前記第２のＰＤＣＣＨに含まれる前記ＣＩＦは第２の値にセットされる。
【０１７９】
（６）本実施形態の第１の様態において、前記受信部は、前記第１のＰＤＣＣＨを検出した場合は、前記第１のＰＤＣＣＨに含まれる前記下りリンクＢＩＦにセットされる前記値に対応する下りリンクＢＷＰにおける第１のＰＤＳＣＨを受信し、前記第２のＰＤＣＣＨを検出した場合は、前記第２のＰＤＣＣＨに含まれる前記下りリンクＢＩＦにセットされる前記値に対応する下りリンクＢＷＰにおける第２のＰＤＳＣＨを受信し、前記第１のＰＤＳＣＨのために割り当てられる帯域は、前記第１のＰＤＣＣＨに含まれるＲＡＦ(Resource Allocation Field)に少なくとも基づいて与えられ、前記第２のＰＤＳＣＨのため
に割り当てられる帯域は、前記第２のＰＤＣＣＨに含まれるＲＡＦ(Resource Allocation Field)に少なくとも基づいて与えられる。
【０１８０】
（７）本実施形態の第２の様態は、基地局装置であって、第１のサービングセルの帯域に含まれる１つまたは複数の下りリンクＢＷＰの何れかにおける第１のＰＤＳＣＨをスケジュールするための第１の下りリンク制御情報を含む第１のＰＤＣＣＨを送信し、第２のサービングセルの帯域に含まれる１つまたは複数の下りリンクＢＷＰの何れかにおける第２のＰＤＳＣＨをスケジュールするための第２の下りリンク制御情報を含む第２のＰＤＣＣＨを送信する送信部を備え、前記第１のＰＤＣＣＨは前記第１のサービングセルにおける第１のサーチスペースにマップされ、前記第２のＰＤＣＣＨは前記第１のサービングセルにおける第２のサーチスペースにマップされる。
【０１８１】
（８）本実施形態の第２の様態において、前記第１のサーチスペースは前記第１のＰＤＣＣＨのデコードを試みる第１のＰＤＣＣＨ候補のセットであり、前記第２のサーチスペースは前記第２のＰＤＣＣＨのデコードを試みる第２のＰＤＣＣＨ候補のセットである。
【０１８２】
（９）本実施形態の第２の様態において、前記第１のサーチスペースの前記第１のＰＤＣＣＨ候補に対応するＣＣＥはＣＩＦの第１の値に少なくとも基づいて与えられ、前記第２のサーチスペースの前記第２のＰＤＣＣＨ候補に対応するＣＣＥは前記ＣＩＦの第２の値に少なくとも基づいて与えられ、前記第１の下りリンク制御情報は前記第１の値にセットされた前記ＣＩＦを含み、前記第２の下りリンク制御情報は前記第２の値にセットされた前記ＣＩＦを含む。
【０１８３】
（１０）本実施形態の第２の様態において、下りリンクＢＷＰの第１のセットに属する何れかの下りリンクＢＷＰに対応する値にセットされる下りリンクＢＩＦを含む第１のＰＤＣＣＨを送信し、下りリンクＢＷＰの第２のセットに属する何れかの下りリンクＢＷＰに対応する値にセットされる下りリンクＢＩＦを含む第２のＰＤＣＣＨを送信する送信部を備え、前記第１のＰＤＣＣＨは第１のサービングセルに含まれる第１のサーチスペースにマップされ、前記第２のＰＤＣＣＨは前記第１のサービングセルに含まれる第２のサーチスペースにマップされる。
【０１８４】
（１１）本実施形態の第２の様態において、前記第１のＰＤＣＣＨに含まれるＣＩＦ（carrierindicator field）は第１の値にセットされ、前記第２のＰＤＣＣＨに含まれる前記ＣＩＦは第２の値にセットされる。
【０１８５】
（１２）本実施形態の第２の様態において、前記送信部は、前記第１のＰＤＣＣＨを検出した場合は、前記第１のＰＤＣＣＨに含まれる前記下りリンクＢＩＦにセットされる前記値に対応する下りリンクＢＷＰにおける第１のＰＤＳＣＨを送信し、前記第２のＰＤＣＣＨを検出した場合は、前記第２のＰＤＣＣＨに含まれる前記下りリンクＢＩＦにセットされる前記値に対応する下りリンクＢＷＰにおける第２のＰＤＳＣＨを送信し、前記第１のＰＤＳＣＨのために割り当てられる帯域は、前記第１のＰＤＣＣＨに含まれるＲＡＦ(Resource Allocation Field)に少なくとも基づいて与えられ、前記第２のＰＤＳＣＨのた
めに割り当てられる帯域は、前記第２のＰＤＣＣＨに含まれるＲＡＦ(Resource AllocationField)に少なくとも基づいて与えられる。
【０１８６】
これにより、端末装置１と基地局装置３は効率的に下りリンクの送受信をすることができる。
【０１８７】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（ReadOnly Memory)などの各種ＲＯＭやＨＤＤ（Hard Disk Drive）に格納され、必要に応じてＣＰＵによって読み出し、修正・書き込みが行われる。
【０１８８】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１８９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１９０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１９１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１９２】
また、上述した実施形態における基地局装置３は、ＥＵＴＲＡＮ（Evolved UniversalTerrestrial Radio Access Network）であってもよい。また、上述した実施形態における基地局装置３は、ｅＮｏｄｅＢに対する上位ノードの機能の一部または全部を有してもよい。
【０１９３】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１９４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１９５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１９６】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019087770.tif 000005
【図２】
2019087770.tif 000006
【図３】
2019087770.tif 000007
【図４】
2019087770.tif 000008
【図５】
2019087770.tif 000009
【図６】
2019087770.tif 000010
【図７】
2019087770.tif 000011
【図８】
2019087770.tif 000012
【図９】
2019087770.tif 000013
【図１０】
2019087770.tif 000014
【図１１】
2019087770.tif 000015
【図１２】
2019087770.tif 000016
【図１３】
2019087770.tif 000017